(57)【特許請求の範囲】
【請求項１】
外壁パネルと、外壁パネルの裏面側四隅近傍にボルトを介して固定された係合部を有する係合金具と、下階の鉄骨梁および上階の鉄骨梁にそれぞれ固定された取付部材と、短辺側長さが係合金具の横寸法よりも若干小さく、長辺側長さが係合金具の縦寸法よりも若干大きな方形に形成され、短辺側一端縁近傍には、長辺側一辺に開口して略中央部まで水平に形成された延びる水平切欠部と、水平切欠部の終端において短辺側他辺に向かう落とし込み部とからなる略Ｌ字状の切欠部が形成されてなり、この切欠部が、係合金具を固定するボルトの軸部に嵌合可能となされたスペーサと、から構成され、前記取付部材は、リップ部を有するチャンネル材が取付板に溶接されて形成されるとともに、取付板が下階の鉄骨梁および上階の鉄骨梁にボルトナットを介してそれぞれ固定されてなり、外壁パネルに固定された各係合金具の係合部が取付部材のチャンネル材のリップ部にそれぞれ係合された際、外壁パネルの裏面においてスペーサがその水平切欠部を通して落とし込み部まで係合金具を固定するボルトの軸部に嵌め込まれてこの落とし込み部を中心として回転されて係合金具および取付部材のチャンネル材にわたって配設されることにより、鉄骨梁に対する外壁パネルの出入りが調整されることを特徴とする外壁パネルの取付構造。
【請求項２】
外壁パネルと、外壁パネルの裏面側四隅近傍にボルトを介して固定された係合部を有する係合金具と、基礎および上階の鉄骨梁にそれぞれ固定された取付部材と、短辺側長さが係合金具の横寸法よりも若干小さく、長辺側長さが係合金具の縦寸法よりも若干大きな方形に形成され、短辺側一端縁近傍には、長辺側一辺に開口して略中央部まで水平に形成された延びる水平切欠部と、水平切欠部の終端において短辺側他辺に向かう落とし込み部とからなる略Ｌ字状の切欠部が形成されてなり、この切欠部が、係合金具を固定するボルトの軸部に嵌合可能となされたスペーサと、から構成され、前記取付部材は、リップ部を有するチャンネル材が取付板に溶接されて形成されるとともに、取付板が基礎に基礎アンカーを介して、および、上階の鉄骨梁にボルトナットを介してそれぞれ固定されてなり、外壁パネルに固定された各係合金具の係合部が取付部材のチャンネル材のリップ部にそれぞれ係合された際、外壁パネルの裏面においてスペーサがその水平切欠部を通して落とし込み部まで係合金具を固定するボルトの軸部に嵌め込まれてこの落とし込み部を中心として回転されて係合金具および取付部材のチャンネル材にわたって配設されることにより、基礎または鉄骨梁に対する外壁パネルの出入りが調整されることを特徴とする外壁パネルの取付構造。
【発明の詳細な説明】
【０００１】
【発明の属する技術分野】
本発明は、鉄骨系住宅における外壁パネルの取付構造に関するものである。
【０００２】
【従来の技術】
従来、裏面側の所定位置にナット金具が予め配設されるとともに、複数個の中空部が上下方向に貫通して形成された外壁パネルが知られている。このような外壁パネルを用いて鉄骨系住宅の外壁を形成する場合、基礎や鉄骨梁に固定された壁軸組に対して外壁パネルを固定するようにしている。具体的には、外壁パネルに埋設されたナット金具に取付金具をボルトを介して固定する一方、壁軸組に接合金具をボルトを介して固定し、外壁パネルに固定された取付金具を壁軸組に載置するとともに、壁軸組に固定された接合金具を外壁パネルのナット金具にボルトを介して固定することにより、外壁パネルを壁軸組に固定していた（例えば、特開平９−３２８８６４号公報参照）。
【０００３】
【発明が解決しようとする課題】
しかしながら、外壁パネルを固定するためには、壁軸組が必要になるとともに、一の外壁パネルに多数個のナット金具を埋設しなければならない他、一の外壁パネルにナット金具を利用して複数個の取付金具を固定する一方、一の壁軸組に複数個の接合金具を固定しなければならず、部品点数が増加してコストが上昇するとともに、作業に多くの時間が必要になり、作業性が低いという問題があった。
【０００４】
また、外壁パネルを固定した際、隣接する外壁パネル間に不陸が発生すると、外壁パネルの裏面において接合金具にスペーサを配設して不陸を調整する必要がある。この場合、不陸は、外壁パネルを壁軸組の接合金具にボルトを介して固定した際、隣接する外壁パネルとの比較において把握されることから、不陸を調整するためには、外壁パネルを固定するボルトを一旦離脱させた後、ボルトにスペーサを嵌め込み、再度外壁パネルをボルトによって固定しなければならない。また、その間、クレーンなどを利用して外壁パネルを吊り下げ状態に保持する必要がある。このため、作業が煩雑になるとともに、調整作業に多くの時間が必要になるという問題があった。また、不陸によっては、このようなスペーサによる不陸調整作業を複数回行う必要があり、さらに多くの時間が必要になるものである。
【０００５】
本発明は、このような問題点に鑑みてなされたものであり、外壁パネルを壁軸組を用いることなく簡単確実に固定することができるとともに、隣接する外壁パネル間に不陸が発生した場合、不陸を簡単に調整することのできる外壁パネルの取付構造を提供するものである。
【０００６】
【課題を解決するための手段】
本発明は、外壁パネルと、外壁パネルの裏面側四隅近傍にボルトを介して固定された係合部を有する係合金具と、下階の鉄骨梁および上階の鉄骨梁にそれぞれ固定された取付部材と、短辺側長さが係合金具の横寸法よりも若干小さく、長辺側長さが係合金具の縦寸法よりも若干大きな方形に形成され、短辺側一端縁近傍には、長辺側一辺に開口して略中央部まで水平に形成された延びる水平切欠部と、水平切欠部の終端において短辺側他辺に向かう落とし込み部とからなる略Ｌ字状の切欠部が形成されてなり、この切欠部が、係合金具を固定するボルトの軸部に嵌合可能となされたスペーサと、から構成され、前記取付部材は、リップ部を有するチャンネル材が取付板に溶接されて形成されるとともに、取付板が下階の鉄骨梁および上階の鉄骨梁にボルトナットを介してそれぞれ固定されてなり、外壁パネルに固定された各係合金具の係合部が取付部材のチャンネル材のリップ部にそれぞれ係合された際、外壁パネルの裏面においてスペーサがその水平切欠部を通して落とし込み部まで係合金具を固定するボルトの軸部に嵌め込まれてこの落とし込み部を中心として回転されて係合金具および取付部材のチャンネル材にわたって配設されることにより、鉄骨梁に対する外壁パネルの出入りが調整されることを特徴とするものである。
【０００７】
また、本発明は、外壁パネルと、外壁パネルの裏面側四隅近傍にボルトを介して固定された係合部を有する係合金具と、基礎および上階の鉄骨梁にそれぞれ固定された取付部材と、短辺側長さが係合金具の横寸法よりも若干小さく、長辺側長さが係合金具の縦寸法よりも若干大きな方形に形成され、短辺側一端縁近傍には、長辺側一辺に開口して略中央部まで水平に形成された延びる水平切欠部と、水平切欠部の終端において短辺側他辺に向かう落とし込み部とからなる略Ｌ字状の切欠部が形成されてなり、この切欠部が、係合金具を固定するボルトの軸部に嵌合可能となされたスペーサと、から構成され、前記取付部材は、リップ部を有するチャンネル材が取付板に溶接されて形成されるとともに、取付板が基礎に基礎アンカーを介して、および、上階の鉄骨梁にボルトナットを介してそれぞれ固定されてなり、外壁パネルに固定された各係合金具の係合部が取付部材のチャンネル材のリップ部にそれぞれ係合された際、外壁パネルの裏面においてスペーサがその水平切欠部を通して落とし込み部まで係合金具を固定するボルトの軸部に嵌め込まれてこの落とし込み部を中心として回転されて係合金具および取付部材のチャンネル材にわたって配設されることにより、基礎または鉄骨梁に対する外壁パネルの出入りが調整されることを特徴とするものである。
【０００８】
本発明によれば、リップ部を有するチャンネル材を取付板に溶接して形成された取付部材を用意し、取付部材を下階の鉄骨梁および上階の鉄骨梁にそれぞれボルトナットを介して固定した後、あるいは、取付部材を基礎に基礎アンカーを介して固定する一方、上階の鉄骨梁にボルトナットを介して固定した後、外壁パネルの下端を取付部材の取付板上に載置するとともに、外壁パネルの裏面側四隅近傍に固定された各係合金具の係合部を取付部材のチャンネル材のリップ部にそれぞれ係合させ、係合金具を外壁パネルに対してボルト締めすることにより、外壁パネルを固定することができる。そして、隣接する外壁パネル間に不陸が発生した場合は、不陸を調整する部位における係合部材を固定するボルトを若干緩めた後、外壁パネルの裏面においてスペーサをその切欠部を通して係合部材を固定するボルトの軸部に嵌め込み、スペーサを回転させて係合部材および取付部材のチャンネル材にわたって配設することで不陸を調整することができる。なおも不陸がある場合は、同様にスペーサを嵌め込めばよい。
【０００９】
この結果、外壁パネルを壁軸組を用いることなく下階の鉄骨梁と上階の鉄骨梁との間あるいは基礎と上階の鉄骨梁との間に簡単に固定することができる。この場合、外壁パネルに固定された係合金具の係合部が取付部材のチャンネル材のリップ部に係合していることにより、地震などによっても、外壁パネルが水平移動することがない他、係合金具が回転してチャンネル材から離脱することもないことから、外壁パネルを確実に固定することができる。また、隣接する外壁パネル間に不陸が発生したとしても、外壁パネルを取り外すことなくスペーサを外壁パネルの裏面において係合部材と取付部材のチャンネル材にわたって配設することで簡単に調整することができる。
【００１０】
【発明の実施の形態】
以下、本発明の外壁パネルの取付構造の実施の形態について図面を参照しつつ説明する。
【００１１】
図１には、本発明の外壁パネルの取付構造の一実施形態が示されている。
この外壁パネルの取付構造は、外壁パネル１と、外壁パネル１の裏面側四隅近傍にそれぞれボルトＢによって固定された係合金具２と、下階の鉄骨梁Ｈに固定された下部取付部材３と、上階の鉄骨梁Ｈに固定された上部取付部材４と、外壁パネル１に係合金具２を固定するボルトＢの軸部に嵌合可能なスペーサ６と、から構成され、外壁パネル１は、これらの下部取付部材３および上部取付部材４に係合金具２を介して固定されている。
【００１２】
ここで、下階の鉄骨梁Ｈとしては、例えば、２階の床梁または３階の床梁が、上階の鉄骨梁Ｈとしては、例えば、３階の床梁または３階の小屋梁がそれぞれ対応している。
【００１３】
なお、鉄骨梁Ｈは、断面Ｈ字状の形鋼が採用され、その上下のフランジｈ１，ｈ２には、その室内側および室外側において、それぞれ設定間隔をおいて複数個の取付穴ｈａが予め形成されており、前述した下部取付部材３および上部取付部材４などをボルトナットを介して固定する場合に使用される（図２および図３参照）。
【００１４】
外壁パネル１は、セメントの押出成形品であって、上下方向に貫通する複数個の中空部１ａを有するとともに、その裏面側四隅近傍に一の中空部１ａに連通する下穴１ｂが形成されており、各下穴１ｂには一の中空部１ａの上下端部から挿入されたナット金具５が配設されている（図４参照）。また、外壁パネル１には、その表面に詳細には図示しないが加飾模様、例えば、縦方向および横方向にそれぞれ設定間隔をおいて形成された複数本の縦溝と横溝によって目地パターンが形成されている。
【００１５】
係合金具２は、鋼板を折曲して断面略Ｐ字状に形成したものであり、長穴２ａを有する他、その一端部に断面略Ｖ字状の係合部２ｂが形成されている（図４参照）。そして、係合金具２は、その長穴２ａを通して外壁パネル１の下穴１ｂに配設されたナット金具５にボルトＢをねじ込むことにより、外壁パネル１に固定することができる。この際、係合金具２を外壁パネル１の上部左右に固定する場合は、その係合部２ｂが上方を向くように配置され、また、下部左右に固定する場合は、その係合部２ｂが下方を向くように配置される。
【００１６】
下部取付部材３は、１個のボルト用取付穴（図示せず）がそれぞれ形成されるとともに、設定間隔をおいて配置された複数枚の取付板３１と、これらの取付板３１に溶接された断面略コ字状のチャンネル材３２、例えば、リップ山形鋼と、からなり、チャンネル材３２の垂直片３２１の先端にはリップ部３２ａが形成されている。そして、チャンネル材３２は、取付板３１の先端部に外壁パネル１の下端を支持する一定長さをおいて垂直片３２１の外面が位置するように、水平片３２２が取付板３１に溶接されている。
【００１７】
上部取付部材４は、１個のボルト用取付穴（図示せず）がそれぞれ形成されるとともに、設定間隔をおいて配置された複数枚の取付板４１と、これらの取付板４１に溶接された断面略コ字状のチャンネル材４２、例えば、リップ山形鋼と、からなり、チャンネル材４２の垂直片４２１の先端にはリップ部４２ａが形成されている。そして、チャンネル材４２は、垂直片４２１の外面と取付板４１の先端面とがほぼ同一垂直面上に位置するように、水平片４２２が取付板４１に溶接されている。
【００１８】
スペーサ６は、短辺側長さが係合部材２の横寸法よりも若干小さく、また、長辺側長さが係合部材２の縦寸法よりも若干大きな方形の亜鉛鉄板で形成されている。そして、スペーサ６の短辺側一端縁近傍には、図５に示すように、長辺側一辺に開口して略中央部まで水平に形成された延びる水平切欠部６ａと、水平切欠部６ａの終端において短辺側他辺に向かう落とし込み部６ｂとからなる略Ｌ字状の切欠部６ｘが形成されている。この切欠部６ｘの幅は、外壁パネル１に係合部材２を固定するボルトＢの軸部の外径よりも若干大きく形成されている。また、後述するように、外壁パネル１を各係合部材２の係合部２ｂを介して鉄骨梁Ｈに固定した下部取付部材３のチャンネル材３２のリップ部３２ａおよび上部取付部材４のチャンネル材４２のリップ部４２ａにそれぞれ係合させた状態において、ボルトＢの軸部に切欠部６ｘを嵌合させた際、切欠部６ｘと短辺側他端縁との間が、係合部材２と下部取付部材３のチャンネル材３２の垂直片３２１とにわたるように、あるいは、係合部材２と上部取付部材４のチャンネル材４２の垂直片４２１とにわたるように、スペーサ６の長さと切欠部６ｘの形成位置が設定されている。
【００１９】
次に、外壁パネル１を取り付ける手順について説明する。
まず、図４に示すように、外壁パネル１の裏面側四隅近傍にそれぞれ係合部２ｂが外壁パネル１の上端部側および下端部側にそれぞれ位置するように、係合金具２の長穴２ａを通してナット金具５にボルトＢをねじ込み、係合金具２を外壁パネル１に固定する。この場合、ボルトＢはナット金具５から脱落しない程度に仮止めする。
【００２０】
一方、下階の鉄骨梁Ｈの上フランジｈ１の上面に下部取付部材３の取付板３１を載置し、取付板３１の取付穴および鉄骨梁Ｈの上フランジｈ１の取付穴ｈａを通してボルトＢ１を挿通し、ナットＮ１を用いて固定する（図２参照）。この際、下部取付部材３のチャンネル材３２の垂直片３２１が水平片３２２よりも室外側に位置するように取り付ける。また、上階の鉄骨梁Ｈの下フランジｈ２の下面に上部取付部材４の取付板４１を配置し、取付板４１の取付穴および鉄骨梁Ｈの下フランジｈ２の取付穴ｈａを通してボルトＢ１を挿通し、ナットＮ１を用いて固定する（図３参照）。この際、上部取付部材４のチャンネル材４２の垂直片４２１が水平片４２２よりも室外側に位置するように取り付ける。
【００２１】
次いで、クレーンなどを利用して外壁パネル１を吊り上げ、その下端を下部取付部材３の取付板３１の室外側突出部に載置するとともに、その裏面を下部取付部材３のチャンネル材３２の垂直片３２１の外面および上部取付部材４のチャンネル材４２の垂直片４２１の外面に当接させた後、各係合金具２の係合部２ｂを下部取付部材３のチャンネル材３２のリップ部３２ａおよび上部取付部材４のチャンネル材４２のリップ部４２ａにそれぞれ係合させ、ボルトＢを締め付けて係合金具２を外壁パネル１のナット金具５に締結することにより、外壁パネル１を下階の鉄骨梁Ｈに固定された下部取付部材３および上階の鉄骨梁Ｈに固定された上部取付部材４にわたって固定する。
【００２２】
この結果、下階の鉄骨梁Ｈに固定された下部取付部材３のチャンネル材３２のリップ部３２ａおよび上階の鉄骨梁Ｈに固定された上部取付部材４のチャンネル材４２のリップ部４２ａに係合金具２の係合部２ｂを係合させてボルトＢを締め付けるだけの簡単な作業により、壁軸組を用いることなく外壁パネル１を固定することができる。したがって、部品点数が削減されるとともに、少ない作業時間によって取付作業を行うことができ、コストを削減することができる。また、係合金具２の係合部２ｂが下部取付部材３のリップ部３２ａおよび上部取付部材４のリップ部４２ａにそれぞれ係合していることにより、地震などによっても、外壁パネル１が水平移動することがない他、係合金具２が回転して下部取付部材３や上部取付部材４から離脱することもないことから、外壁パネル１を確実に固定することができる。
【００２３】
このようにして外壁パネル１を順次固定することにより、各階の外壁を形成した際、外壁パネル１の製造上の誤差や鉄骨梁Ｈの組み立て上の誤差によって隣接する外壁パネル１，１間に不陸が発生する場合がある。このような不陸が発生した場合は、前方に張り出している外壁パネル１を基準として隣接する外壁パネル１の不陸を調整する。具体的には、調整対象の外壁パネル１の、不陸を調整する部位の係合金具２を固定しているボルトＢを若干緩めた後、外壁パネル１の裏面においてスペーサ６をその水平切欠部６ａを通して落とし込み部６ｂまでボルトＢの軸部に嵌め込み、落とし込み部６ｂを中心として回転させ、係合部材２および取付部材３，４のチャンネル材３２，４２の垂直片３２１，４２１にわたって配設する（図６参照）。次いで、再びボルトＢを締め付けて基準となる外壁パネル１との不陸を調整する。また、なおも不陸が認められる場合には、さらにスペーサ６を同様に配設して不陸を調整する。
【００２４】
この場合、外壁パネル１の裏面側四隅近傍において係合金具２が設けられることから、外壁パネル１の不陸調整は、各係合金具２において行うことができ、上階の鉄骨梁Ｈおよび／または下階の鉄骨梁Ｈの左右において各別に行うことができる。また、スペーサ６は、係合部材２および取付部材３，４のチャンネル材３２，４２の垂直片３２１，４２１にわたって配設されることから、外壁パネル１の裏面に対する大きな接触面積を確保することができ、外壁パネル１を安定して固定することができる。
【００２５】
ここで、上階の鉄骨梁Ｈにおいては、スペーサ６の切欠部６ｘの落とし込み部６ｂがボルトＢに嵌合しており、スペーサ６は簡単に脱落することがない。
【００２６】
ところで、前述した実施形態においては、外壁パネル１を下階の鉄骨梁Ｈに固定した下部取付部材３および上階の鉄骨梁Ｈに固定した上部取付部材４を利用して取り付けた場合を例示したが、基礎上に立設する外壁パネルの取り付けにも適用することができる。
【００２７】
具体的には、図７に示すように、基礎Ｋの所定位置に下穴を形成するとともに、基礎Ｋの下穴に基礎アンカー芯棒を打ち込んだ後、基礎アンカー芯棒に下部取付部材３の取付板３１を嵌挿し、ナットを締め付けることによって固定する一方、上階の鉄骨梁Ｈの下フランジｈ２に上部取付部材４の取付板４１をボルトナットを介して固定した後、外壁パネル１の下端を下部取付部材３の取付板３１に載置し、外壁パネル１に固定した係合金具２の係合部２ｂを下部取付部材３のチャンネル材３２のリップ部３２ａおよび上部取付部材４のチャンネル材４２のリップ部４２ａにそれぞれ係合させ、ボルトＢを締め付けて係合金具２を外壁パネル１のナット金具５に締結することにより、外壁パネル１を基礎Ｋと上階の鉄骨梁Ｈとの間に固定することができる。そして、これらの外壁パネル１間に不陸が発生した場合も、前述したように、不陸調整が必要な部位の係合金具２を固定しているボルトＢを若干緩めた後、外壁パネル１の裏面においてスペーサ６をその切欠部６ｘを通して嵌め込んで回転させ、係合部材２および取付部材３，４のチャンネル材３２，４２の垂直片３２１，４２１にわたって配設すればよい。
【００２８】
なお、前述した実施形態においては、設定間隔をおいて配置された複数枚の取付板３１，４１とこれらの取付板３１，４１に溶接されたチャンネル材３２，４２によって下部取付部材３および上部取付部材４を形成した場合を説明したが、複数枚の取付板３１，４１に代えて長尺状の取付板３１，４１を用いることもできる。この場合は、長尺状の取付板３１，４１に設定間隔をおいてそれぞれボルト用取付穴を形成すればよい。
【００２９】
また、取付部材３，４のチャンネル材３２，４２として、リップ山形鋼を使用した場合を例示したが、リップ山形鋼に限定されるものではない。すなわち、係合金具２の係合部２ｂが係合可能なリップ部を有すればよいことから、リップ山形鋼に代えてリップ溝形鋼を採用することもでき、断面コ字状や断面Ｃ字状などの形状を限定するものではない。
【００３０】
【発明の効果】
以上のように本発明によれば、外壁パネルを壁軸組を用いることなく下階の鉄骨梁と上階の鉄骨梁との間あるいは基礎と上階の鉄骨梁との間に簡単確実に固定することができるとともに、隣接する外壁パネル間に不陸が発生したとしても、外壁パネルを取り外すことなく簡単に調整することができる。
また、短辺側長さが係合金具の横寸法よりも若干小さく、長辺側長さが係合金具の縦寸法よりも若干大きな方形に形成され、短辺側一端縁近傍には、長辺側一辺に開口して略中央部まで水平に形成された延びる水平切欠部と、水平切欠部の終端において短辺側他辺に向かう落とし込み部とからなる略Ｌ字状の切欠部が形成されてなり、この切欠部が、係合金具を固定するボルトの軸部に嵌合可能となされたスペーサを用いることによって、安定して固定することができ、かつ、簡単に脱落することがないようにすることができる。
【図面の簡単な説明】
【図１】本発明の外壁パネルの取付構造の一実施形態を一部省略して示す縦断面図である。
【図２】図１の外壁パネルの取付構造における外壁パネルと下部取付部材との関係を示す斜視図である。
【図３】図１の外壁パネルの取付構造における外壁パネルと上部取付部材との関係を示す斜視図である。
【図４】外壁パネルに配設されるナット金具と係合金具の関係を示す分解斜視図である。
【図５】スペーサの正面図である。
【図６】不陸を調整するスペーサの取付要領を示す説明図である。
【図７】本発明の外壁パネルの取付構造の他の実施形態を一部省略して示す縦断面図である。
【符号の説明】
１  外壁パネル
１ａ  中空部
２  係合金具
２ｂ  係合部
３，４  取付部材
３１，４１  取付板
３２，４２  チャンネル材
３２ａ，４２ａ  リップ部
５  ナット金具
６  スペーサ
６ｘ  切欠部
Ｈ  鉄骨梁
Ｋ  基礎
Ｂ  ボルト
【図１】
0003839194.tif 000002
【図２】
0003839194.tif 000003
【図３】
0003839194.tif 000004
【図４】
0003839194.tif 000005
【図５】
0003839194.tif 000006
【図６】
0003839194.tif 000007
【図７】
0003839194.tif 000008